(57)【特許請求の範囲】
【請求項１】
セパレート型空気調和機の室内機に熱交換器と、前記熱交換器下方に配置されたドレンパン部を具備し、前記ドレンパン部には前記熱交換器から滴下した結露水を排出する排水口が室内機本体の下方部両側２ヶ所に設けられ、前記排水口の一方にはドレンホースが配設され、前記排水口のもう一方にはスチレン・ブタジエンブロック共重合体の水添物またはスチレン・イソプレンブロック共重合体の水添物がキャップとして配設されていることを特徴とする空気調和機。
【請求項２】
前記ドレンパン部がハイインパクトスチレン樹脂からなることを特徴とする請求項１記載の空気調和機。
【請求項３】
前記キャップの硬度が５０〜６５度（ＪＩＳ―Ａ）であることを特徴とする請求項１記載の空気調和機。
【発明の詳細な説明】
【０００１】
【発明の属する技術分野】
本発明は、セパレート型空気調和機の室内機に関し、特に熱交換器からの結露水が使用しない排水口から水漏れしないように配設するドレンキャップに関するものである。
【０００２】
【従来の技術】
セパレート型空気調和機においては、室内熱交換器にて発生する結露水を回収するために熱交換器の下方にドレンパンの役割をするものが本体台枠、吹出しグリルの役割も兼ねて配置され、このドレンパン部を通じて排水口からドレンホースを介して外部に排出していた。この排水口は施工性を考慮して室内機の下方部両側２ヶ所に設けられ、使用しない排水口はドレンキャップで水漏れ防止のためキャップをされていた。この用途には従来から一般に軟質塩化ビニル樹脂が使用されてきた。塩化ビニル樹脂は成形性に優れ、材料価格も安いので広い範囲で多用されてきた。
【０００３】
【発明が解決しようとする課題】
しかし、近年環境問題の深刻化にともなって塩化ビニル樹脂に対する考え方も変化しつつある。すなわち、塩化ビニル樹脂を焼却した場合には樹脂中の塩素が焼却粉塵等と作用しながら４００〜６００℃付近の低温燃焼状態でダイオキシンを発生する可能性が高いと言われている。したがって、廃家電品が埋め立てごみとして扱われる場合には問題ないが、焼却ごみとして扱われる場合には大きな問題となる。将来、廃家電品の樹脂は積極的なリサイクルとしてマテリアルリサイクルされるもの、サーマルリサイクルされるもの等がある。サーマルリサイクル時に樹脂材料の分別が正しく行われていれば問題ないが、塩化ビニル樹脂がサーマルリサイクル用の樹脂に混在するとダイオキシンの発生が危惧される。
【０００４】
したがって、このような問題を避けるため塩化ビニル樹脂の代替化に向けて可能な分野ではその検討が進んでいる。
【０００５】
【課題を解決するための手段】
上記課題を解決するために本発明は、セパレート型空気調和機の室内機に熱交換器と、前記熱交換器下方に配置されたドレンパン部を具備し、前記ドレンパン部には前記熱交換器から滴下した結露水を排出する排水口が室内機本体の下方部両側２ヶ所に設けられ、前記排水口の一方にはドレンホースが配設され、前記排水口のもう一方にはスチレン・ブタジエンブロック共重合体の水添物またはスチレン・イソプレンブロック共重合体の水添物がキャップとして配設されている空気調和機である。
【０００６】
上記構成によって、製品廃棄時にサーマルリサイクルされても、ダイオキシンの発生を心配する必要がなく環境負荷低減が図られる。
【０００７】
【発明の実施の形態】
上記の課題を解決するための請求項１記載の発明は、セパレート型空気調和機の室内機に熱交換器と、前記熱交換器下方に配置されたドレンパン部を具備し、前記ドレンパン部には前記熱交換器から滴下した結露水を排出する排水口が室内機本体の下方部両側２ヶ所に設けられ、前記排水口の一方にはドレンホースが配設され、前記排水口のもう一方にはキャップとして配設されている空気調和機である。これによって、製品廃棄時にサーマルリサイクルされても、ダイオキシンの発生を心配する必要がなく環境負荷低減が図られる。また、スチレン系エラストマーの中でもスチレン・ブタジエンブロック共重合体の水添物またはスチレン・イソプレンブロック共重合体の水添物を選択することによって優れた抗張力が得られるとともに耐熱老化性においても優れる。
【０００８】
請求項２記載の発明は、ドレンパン部がハイインパクトスチレン樹脂からなる空気調和機である。ドレンパン部がハイインパクトスチレン樹脂で構成されることによって、廃家電品処理時にドレンキャップとドレンパン部を分別することなく混在処理して再資源化することが可能となる。
【０００９】
請求項３記載の発明は、スチレン・ブタジエンブロック共重合体の水添物またはスチレン・イソプレンブロック共重合体の水添物からなるキャップの硬度が５０〜６５度（ＪＩＳ―Ａ）である空気調和機である。キャップの硬度を所定の値とすることで止水性においても長期信頼性を得ることができる。
【００１０】
（実施例１）
以下、本発明の一実施例について詳細な説明を行う。
【００１１】
図１は室内機本体の断面図を、図２は室内機本体の背面図を表している。室内機本体は冷房運転時、吸い込みグリル１、２を通じて室内空気を吸い込み、吸い込んだ空気は熱交換器３、４によって冷却、除湿された後、クロスフローファン５によって吸い込み送風されながら、最終吹出し口６から室内に冷風を排出する。この時、熱交換器３、４によって除湿された結露水はドレンパン部７、８によって水受けされる。ドレンパン部７は室内機台枠９に一体物として構成され、ドレンパン部８は吹出しグリル１０に一体物として構成される。ドレンパン部７に溜まった結露水は台枠９を介してドレンパン部８側に流れて水受けされ、最終的にはドレンホース１１によって外部へ排出される。一般に室内機本体には空気調和機施工時の接続配管引き回し性を考慮して本体の下方部両側に排水口を配設している。したがって、使用しない側の排水口にはドレンキャップ１２を使用して十分な止水処置を行っている。また、空気調和機には移設工事が伴うのでドレンキャップ１２にはある程度の着脱性が要求される。
【００１２】
本実施例ではスチレン・ブタジエンブロック共重合体の水添物を使用し、その物性面を表１に示した。
【００１３】
（比較例１）
本比較例では従来の軟質塩化ビニル樹脂を使用し、その物性面を表１に示した実施例で使用したスチレン・ブタジエンブロック共重合体の水添物と軟質塩化ビニル樹脂からなるドレンキャップを物性面および実用性の面から評価した結果を表１に示す。
【００１４】
【表１】
0003606099.tif 000002
【００１５】
ここで、着脱性の評価は実際の施工時を想定してラジオペンチで使用してドレンキャップのノブ部１３を引っ張ることによって１０回の繰り返し試験を行った。図３にドレンキャップの断面形状図を示した。その結果、スチレン・ブタジエンブロック共重合体の水添物は従来の軟質塩化ビニル製に比べて遜色はなかった。また、熱老化性後の引っ張り試験からすると本実施例のほうが変化量がほとんどなく優れていた。したがって長期的な物性変化は本発明品のほうが小さいと推定できる。さらに、密度も小さく軽量化を図ることも可能となる。
【００１６】
本発明で使用できるドレンキャップに適した材料は表１から分かるように、スチレン・ブタジエンブロック共重合体の水添物のほかにスチレン・イソプレンブロック共重合体の水添物が好ましかった。これら共重合体は不飽和結合を含まないため耐熱性、耐候性に優れていた。また、この用途に使用できるキャップの硬度はＪＩＳ―Ａの測定で５０〜６５度であることがわかった。硬度が５０以下では引き抜き強度が小さく、長期にわたって止水性を保証することはできない。また、硬度が６５以上では引き抜き強度が大きく、着脱試験を繰り返すことでノブ部が破損することが生じた。
【００１７】
本発明の目的は環境負荷低減、リサイクル性向上であり、この効果をさらに得るためにはドレンパン部をハイインパクトスチレン樹脂で構成することによって、廃家電品時にドレンパン部からドレンキャップを外すことなく、マテリアルリサイクルに供することが可能となる。本発明で使用するスチレン・ブタジエンブロック共重合体の水添物およびスチレン・イソプレンブロック共重合体の水添物はハイインパクトスチレン樹脂との相溶性が良好な上、ドレンキャップがかん合した吹出しグリルに対して重量比が小さいので混在状態でマテリアルリサイクルしても物性面での低下はほとんど生じなかった。
【００１８】
【発明の効果】
上記実施例から明らかなように、請求項１記載の発明によれば、製品廃棄時にサーマルリサイクルされても、ダイオキシンの発生を心配する必要がなく環境負荷低減が図られる。また、スチレン系エラストマーの中でもスチレン・ブタジエンブロック共重合体の水添物またはスチレン・イソプレンブロック共重合体の水添物を選択することによって優れた抗張力が得られるとともに耐熱老化性においても優れていた。
【００１９】
請求項２記載の発明によれば、ドレンパン部がハイインパクトスチレン樹脂で構成されることによって、廃家電品処理時にドレンキャップとドレンパン部を分別することなく混在処理して再資源化することが可能となった。
【００２０】
請求項３記載の発明によれば、キャップの硬度を所定の値とすることで止水性においても長期信頼性を得ることができた。
【図面の簡単な説明】
【図１】本発明の一実施例における室内機本体の断面図
【図２】本発明の一実施例における室内機本体の背面図
【図３】本発明の一実施例におけるドレンキャップの断面形状図
【符号の説明】
１  吸い込みグリル
２  吸い込みグリル
３  熱交換器
４  熱交換器
５  クロスフローファン
６  吹出し口
７  ドレンパン部
８  ドレンパン部
９  室内機台枠
１０  吹出しグリル１０
１１  ドレンホース
１２  ドレンキャップ
１３  ノブ部
【図１】
0003606099.tif 000003
【図２】
0003606099.tif 000004
【図３】
0003606099.tif 000005